(57)【要約】      （修正有）【課題】誤動作及び誤操作を低減可能な中留を提供する。【解決手段】第１バンド１１に連結される第１板２０と、第１板に連結される第２板３０と、第２板に連結され、互いに重なる状態の第１板及び第２板を覆い、貫通孔を有する中留カバー５１と、第１板、第２板及び中留カバーを互いに重なる状態にロックするロック機構９０と、ロック機構のロックを解除し、貫通孔から露出されるプッシュボタンと、第２バンド１２に連結され、中留カバーに対してスライドするスライド部材５２と、スライド部材のスライドを規制する規制部６４１と、操作されることにより規制部による規制を解除し、中留カバーに取り付けられ、ロック機構がロックする状態において中留カバーに覆われる操作部６４２と、を備える。【選択図】図５
2020099573.tif 000002
【特許請求の範囲】
【請求項１】
第１バンドに連結される第１板と、
第１ヒンジを介して前記第１板に連結される第２板と、
第２ヒンジを介して前記第２板に連結され、互いに重なる状態の前記第１板及び前記第２板を覆い、貫通孔を有する中留カバーと、
前記第１板、前記第２板及び前記中留カバーを互いに重なる状態にロックするロック機構と、
押されることにより前記ロック機構のロックを解除し、前記貫通孔から露出されるプッシュボタンと、
第２バンドに連結され、前記中留カバーに対して一方向にスライドするスライド部材と、
前記スライド部材の前記一方向へのスライドを規制する規制部と、
操作されることにより前記規制部による規制を解除し、前記中留カバーに取り付けられ、前記ロック機構がロックする状態において前記中留カバーに覆われる操作部と、
を備えることを特徴とする中留。
【請求項２】
前記スライド部材は、前記第２バンドの幅方向における両側から前記第２バンドの端部に挟み込まれることにより、前記第２バンドの端部に連結されることを特徴とする請求項１に記載の中留。
【請求項３】
前記規制部は、前記中留カバーに固定された回転軸の周りに回転し、前記スライド部材に掛かるフックであることを特徴とする請求項１又は２に記載の中留。
【請求項４】
前記フックが前記スライド部材に掛かるように前記フックに力を加えるばねを更に備えることを特徴とする請求項３に記載の中留。
【請求項５】
前記回転軸は、前記第１バンド及び前記第２バンドの幅方向に沿うように、前記中留カバーに固定されることを特徴とする請求項３又は４に記載の中留。
【請求項６】
前記スライド部材は、前記ロック機構がロックする状態において前記一方向の反対方向にスライドすることを特徴とする請求項１乃至５の何れか１項に記載の中留。
【請求項７】
前記ロック機構は、前記第１板に設けられたロックピンと、前記中留カバーに設けられ、前記ロックピンを把持する把持部と、を有することを特徴とする請求項１乃至６の何れか１項に記載の中留。
【請求項８】
前記中留カバーは、前記第１バンド及び前記第２バンドの幅方向に直交する平面に沿う側壁を有し、
前記側壁は、前記貫通孔を有することを特徴とする請求項１乃至７の何れか１項に記載の中留。
【請求項９】
請求項１乃至８の何れか１項に記載の中留を備えるバンド。
【請求項１０】
請求項９に記載のバンドを備える時計。
【発明の詳細な説明】
【技術分野】
【０００１】
本発明は、中留、バンド及び時計に関する。
【背景技術】
【０００２】
特許文献１は、押圧操作により係合部の係合を解除するプッシュボタンと、プッシュボタンの操作と連動して時計バンドの長さを微調整する手段とを備える時計バンドの中留構造を開示する。一方、特許文献２は、押されることにより中留を開くプッシュボタンと、バンドの長さを調節する操作機構とを備える腕時計用バンドの長さ調節装置を開示する。
【先行技術文献】
【特許文献】
【０００３】
【特許文献１】特開２００２−３２５６０６号公報
【特許文献２】国際公開第２００２／０７４１２４号
【発明の概要】
【発明が解決しようとする課題】
【０００４】
しかしながら、特許文献１に記載の技術では、プッシュボタンが中留のロック解除と、長さの調整との機能を兼ねるため、ロック解除の際に意図せず長さが変わってしまうという誤動作の可能性があった。また、特許文献２に記載の技術では、プッシュボタンと操作機構の押し部とが隣接して露出するため、誤操作の可能性があった。
【課題を解決するための手段】
【０００５】
本発明の一態様に係る中留は、第１バンドに連結される第１板と、第１ヒンジを介して前記第１板に連結される第２板と、第２ヒンジを介して前記第２板に連結され、互いに重なる状態の前記第１板及び前記第２板を覆い、貫通孔を有する中留カバーと、前記第１板、前記第２板及び前記中留カバーを互いに重なる状態にロックするロック機構と、押されることにより前記ロック機構のロックを解除し、前記貫通孔から露出されるプッシュボタンと、第２バンドに連結され、前記中留カバーに対して一方向にスライドするスライド部材と、前記スライド部材の前記一方向へのスライドを規制する規制部と、操作されることにより前記規制部による規制を解除し、前記中留カバーに取り付けられ、前記ロック機構がロックする状態において前記中留カバーに覆われる操作部と、を備える。
【０００６】
上述の態様において、前記スライド部材は、前記第２バンドの幅方向における両側から前記第２バンドの端部に挟み込まれることにより、前記第２バンドの端部に連結されてもよい。
【０００７】
上述の態様において、前記規制部は、前記中留カバーに固定された回転軸の周りに回転し、前記スライド部材に掛かるフックであってもよい。
【０００８】
上述の態様に係る中留は、前記フックが前記スライド部材に掛かるように前記フックに力を加えるばねを更に備えてもよい。
【０００９】
上述の態様において、前記回転軸は、前記第１バンド及び前記第２バンドの幅方向に沿うように、前記中留カバーに固定されてもよい。
【００１０】
上述の態様において、前記スライド部材は、前記ロック機構がロックする状態において前記一方向の反対方向にスライドしてもよい。
【００１１】
上述の態様において、前記ロック機構は、前記第１板に設けられたロックピンと、前記中留カバーに設けられ、前記ロックピンを把持する把持部と、を有してもよい。
【００１２】
上述の態様において、前記中留カバーは、前記第１バンド及び前記第２バンドの幅方向に直交する平面に沿う側壁を有し、前記側壁は、前記貫通孔を有してもよい。
【００１３】
本発明の他の態様に係るバンドは、上述の態様に係る中留を備えてもよい。
【００１４】
本発明の他の態様に係る時計は、上述の態様に係るバンドを備えてもよい。
【図面の簡単な説明】
【００１５】
【図１】第１実施形態に係る時計の一部を説明する斜視図。
【図２】第１実施形態に係る中留を開いた状態を説明する斜視図。
【図３】第１実施形態に係る中留の中留プッシュ部を説明する分解斜視図。
【図４】第１実施形態に係る中留のボタンユニットを説明する分解斜視図。
【図５】第１実施形態に係る中留の閉じた状態を説明する断面図。
【図６】第１実施形態に係る中留の開いた状態を説明する下面図。
【図７】図６のVII−VII方向から見た断面図。
【図８】第１実施形態に係る中留のスライド部材を説明する斜視図。
【図９】第１実施形態に係る中留の支持部材を説明する斜視図。
【図１０】第１実施形態に係る中留のスライド部材がスライドする様子を説明する斜視図。
【図１１】第１実施形態に掛かる中留の操作部が操作された状態を説明する断面図。
【図１２】第１実施形態に係る中留のスライド部材がＸ方向にスライドする様子を説明する断面図。
【図１３】第１実施形態の第１変形例に係るスライド部材を説明する斜視図。
【図１４】第１実施形態の第２変形例に係る規制機構を説明する斜視図。
【図１５】第２実施形態に係る中留の閉じた状態を説明する断面図。
【図１６】第２実施形態に係る中留のスライド部材及び規制機構を説明する分解斜視図。
【図１７】第２実施形態に係る中留の開いた状態を説明する断面図。
【図１８】第２実施形態に係る中留の操作部が操作された状態を説明する断面図。
【図１９】図１８に対応する斜視図。
【図２０】第２実施形態に係る中留のスライド部材がスライドする様子を説明する斜視図。
【図２１】第２実施形態に係る中留のスライド部材が中留カバーから外れる様子を説明する断面図。
【図２２】第２実施形態に係る中留の規制部材の動作を説明する断面図。
【発明を実施するための形態】
【００１６】
以下、図面を参照して第１及び第２実施形態に係る中留、バンド及びそれらを備える時計を説明する。各実施形態において、説明される構成の全てが、本発明の必須構成要件であるとは限らない。本発明の技術的思想は、構成部品の形状、構造、配置等を下記のものに特定するものでない。図面においては同一又は類似の要素には同一又は類似の符号をそれぞれ付して、重複する説明を省略する。図面は模式的であり、実際の寸法及び寸法の相対的比率、配置、構造等と異なる場合が含まれ得る。
【００１７】
なお、以下における上下左右等の方向の定義は、単に説明の便宜上の定義であって、本発明の技術的思想を限定するものでない。例えば、視線方向を軸として観察対象を９０°回転すれば上下は左右に、左右は上下に変換して理解され、１８０°回転すれば上下及び左右はそれぞれ反転して理解されることは勿論である。本発明の技術的思想は、特許請求の範囲に記載された技術的範囲内において、種々の変更を加えることができる。
【００１８】
［第１実施形態］
図１に示すように、第１実施形態に係る時計１００は、外装ケース１０と、第１バンド１１及び第２バンド１２とを備える。外装ケース１０は、時計１００の６時側、即ち図１における右下側に設けられた第１カン１０１と、１２時側、即ち図１における左上側に設けられた第２カン１０２とを有する。第１バンド１１の一端は、図示しない取り付けピンを用いて第１カン１０１に連結される。第２バンド１２の一端は、図示しない取り付けピンを用いて第２カン１０２に連結される。第１バンド１１及び第２バンド１２のそれぞれは、例えば、図示しない複数のピンにより互いに連結された複数のバンド駒９から構成される。
【００１９】
時計１００は、図２に示すように、第１バンド１１の他端及び第２バンド１２の他端の間を連結する中留１を更に備える。中留１、第１バンド１１及び第２バンド１２は、ユーザーの手首に巻かれることにより、時計１００をユーザーの手首に装着するバンド８０を構成する。
【００２０】
中留１は、中折れ部材４０と、中留プッシュ部５０とを備える。中折れ部材４０は、一端に設けられた第１連結部１３において第１バンド１１に連結される第１板２０と、第１ヒンジ１４を介して第１板２０に連結される第２板３０とを備える。第１板２０及び第２板３０のそれぞれは、互いに同程度の長さを有する、概略として帯状の部材である。第１板２０及び第２板３０は、時計１００の装着時、即ち互いに重なる状態において、ユーザーの手首に沿うように、幅方向から見て概略として円弧状となるようにそれぞれ湾曲する。第１連結部１３は、例えば、第１板２０の一端に設けられたピン孔と、第１バンド１１のピン孔とに挿入される第１連結ピン１３１によって構成される。
【００２１】
第１板２０は、他端に設けられたピン孔と、第２板３０の一端に設けられたピン孔とに第１ヒンジピン１４１が挿入されることによって、第２板３０の一端に連結される。即ち、第１ヒンジ１４は、第１板２０の他端、第２板３０の一端及び第１ヒンジピン１４１から構成される。第１板２０及び第２板３０のそれぞれは、第１ヒンジ１４の回転軸である第１ヒンジピン１４１の周りに回転する。
【００２２】
第１板２０は、一方の主面に立つように設けられたロックピン２１を有する。ロックピン２１は、例えば円柱状の茎部２１１と、茎部２１１の先端に設けられた傘部２１２とを備える。傘部２１２は、茎部２１１より大きな径を有するフランジ部と、フランジ部からロックピン２１の先端に向かうほど径が小さくなるように定義された先端側表面とを有する。第２板３０は、ロックピン２１の傘部２１２が通る貫通孔であるロックピン孔３１を有する。第１板２０は、ロックピン孔３１がロックピン２１を通すことにより、第２板３０に重なる。第１板２０と第２板３０とが互いに重なる状態は、第１板２０の概略をなす面と第２板３０の概略をなす面とが互いに重なる状態を意味する。
【００２３】
第２板３０は、第２ヒンジ１５を介して中留プッシュ部５０に連結される。第２板３０は、他端に設けられたピン孔と、中留プッシュ部５０の一端に設けられたピン孔とに第２ヒンジピン１５１が挿入されることによって、中留プッシュ部５０の一端に連結される。即ち、第２ヒンジ１５は、第２板３０の他端、中留プッシュ部５０の一端及び第２ヒンジピン１５１から構成される。第２板３０及び中留プッシュ部５０のそれぞれは、第２ヒンジ１５の回転軸である第２ヒンジピン１５１の周りに回転する。
【００２４】
図２及び図３に示すように、中留プッシュ部５０は、中留カバー５１と、中留カバー５１の内側に配置されるスライド部材５２、ボタンユニット５３及び規制機構６０とを備える。中留プッシュ部５０は、開いた中留１を閉じるときにユーザーに押される部分である。
【００２５】
中留カバー５１は、第２ヒンジ１５を介して第２板３０に連結される。中留カバー５１は、互いに重なる状態の第１板２０及び第２板３０を覆う。具体的には、中留カバー５１は、概略として矩形板状の表面部５１１と、表面部５１１の長手方向に沿う両端に設けられ、互いに平行に対向する一対の側壁である第１側壁部５１２Ａ及び第２側壁部５１２Ｂとを有する。第１側壁部５１２Ａ及び第２側壁部５１２Ｂのそれぞれは、第１バンド１１及び第２バンド１２の幅方向、即ちＹ軸に直交する平面に沿う。図３に示すように、中留カバー５１の長手方向はＸ軸に沿い、幅方向はＹ軸に沿う。中留カバー５１は、時計１００の装着時にユーザーの手首に沿うように、幅方向から見て、概略として円弧状となるように湾曲する。
【００２６】
中留カバー５１は、表面部５１１の幅方向に直交する平面に関して、鏡像対称性を有する。即ち、第１側壁部５１２Ａ及び第２側壁部５１２Ｂは、互いに鏡像対称性を有する。表面部５１１、第１側壁部５１２Ａ及び第２側壁部５１２Ｂは、表面部５１１の長手方向に直交する断面が、概略としてＵ字状をなすように配置される。第１側壁部５１２Ａ及び第２側壁部５１２Ｂは、それぞれボタンユニット５３の一部を露出する一対の貫通孔である第１貫通孔５１３Ａ及び第２貫通孔５１３Ｂを有する。更に、第１側壁部５１２Ａ及び第２側壁部５１２Ｂは、それぞれ第２ヒンジピン１５１が挿入される一対のピン孔５１４Ａ，５１４Ｂと、規制機構６０の一部が挿入される一対の軸受孔５１５Ａ，５１５Ｂとを有する。一対のピン孔５１４Ａ，５１４Ｂ及び第２板３０の端部に第２ヒンジピン１５１が挿入されることにより、第２ヒンジ１５が構成される。
【００２７】
図３及び図４に示すように、ボタンユニット５３は、中留カバー５１の幅方向、即ちＹ軸に沿って配置される一対のボタンをそれぞれ有する第１ボタン部材５４Ａ及び第２ボタン部材５４Ｂと、一対のばね５５Ａ，５５Ｂと、ボタン保持部材５６と、収容部材５７とを備える。ボタンユニット５３は、第１ボタン部材５４Ａ及び第２ボタン部材５４Ｂの各一部を除いて中留カバー５１の内側に設けられる。
【００２８】
第１ボタン部材５４Ａは、一部が中留カバー５１の内側から第１貫通孔５１３Ａに挿入されて中留カバー５１の外側に突出する第１プッシュボタン５４１Ａと、第１プッシュボタン５４１ＡからＹ方向に延伸する第１中間部５４２Ａと、第１中間部５４２Ａの先端から−Ｘ方向に突出する第１把持部５４３Ａとを有する。第１プッシュボタン５４１Ａ、第１中間部５４２Ａ及び第１把持部５４３Ａは、例えば一体に形成され、概略としてＵ字型を有する。第１プッシュボタン５４１Ａは、第１把持部５４３Ａ側の面に第１コイルばね５５Ａの一端に接する凹部５４４Ａを有する。第１把持部５４３Ａは、第１プッシュボタン５４１Ａと反対側の面に第２コイルばね５５Ｂの一端に接する凹部５４５Ａを有する。
【００２９】
同様に、第２ボタン部材５４Ｂは、一部が中留カバー５１の内側から第２貫通孔５１３Ｂに挿入されて中留カバー５１の外側に突出する第２プッシュボタン５４１Ｂと、第２プッシュボタン５４１Ｂから−Ｙ方向に延伸する第２中間部５４２Ｂと、第２中間部５４２Ｂの先端からＸ方向に突出する第２把持部５４３Ｂとを有する。第２プッシュボタン５４１Ｂ、第２中間部５４２Ｂ及び第２把持部５４３Ａは、例えば一体に形成され、概略としてＵ字型を有する。第２プッシュボタン５４１Ｂは、第２把持部５４３Ｂ側の面に第２コイルばね５５Ｂの他端に接する凹部５４４Ｂを有する。第２把持部５４３Ｂは、第２プッシュボタン５４１Ｂと反対側の面に第１コイルばね５５Ａの他端に接する凹部５４５Ｂを有する。
【００３０】
第１把持部５４３Ａは、第２プッシュボタン５４１Ｂ及び第２把持部５４３Ｂの間に位置する。第２把持部５４３Ｂは、第１プッシュボタン５４１Ａ及び第１把持部５４３Ａの間に位置する。第１ボタン部材５４Ａ及び第２ボタン部材５４Ｂは、Ｚ軸に沿う軸に関して２回回転対称性を有する。これにより、第１把持部５４３Ａ及び第２把持部５４３Ｂは、互いに対向する一対の対向面を有する。
【００３１】
第１コイルばね５５Ａは、第１プッシュボタン５４１Ａ及び第２把持部５４３Ｂが互いに離れるように、凹部５４４Ａ及び凹部５４５Ｂに力を加える。第２コイルばね５５Ｂは、第２プッシュボタン５４１Ｂ及び第１把持部５４３Ａが互いに離れるように、凹部５４４Ｂ及び凹部５４５Ａに力を加える。即ち、第１コイルばね５５Ａ及び第２コイルばね５５Ｂは、第１プッシュボタン５４１Ａ及び第２プッシュボタン５４１Ｂが互いに離れ、第１把持部５４３Ａ及び第２把持部５４３Ｂが互いに近づくように、第１ボタン部材５４Ａ及び第２ボタン部材５４Ｂに力を加える。これにより、第１プッシュボタン５４１Ａ及び第２プッシュボタン５４１Ｂは、それぞれ第１貫通孔５１３Ａ及び第２貫通孔５１３Ｂから中留カバー５１の外側に露出される。
【００３２】
ボタン保持部材５６は、概略として矩形平板上の上面部５６１と、中留カバー５１の幅方向、即ちＹ軸に沿う２辺にそれぞれ設けられ、互いに対向する２枚の側面部５６２Ａ，５６２Ｂとを有する。ボタン保持部材５６は、Ｙ方向から見て上面部５６１及び側面部５６２Ａ，５６２Ｂが概略としてＵ字型をなすトンネル形状を有する。上面部５６１は、中央部分に設けられた貫通孔である挿入孔５６３と、挿入孔５６３の周縁の一部からボタン保持部材５６の内側に突出するスペーサー部５６４とを有する。挿入孔５６３は、第１把持部５４３Ａ及び第２把持部５４３Ｂの間を経由したロックピン２１を挿入される。スペーサー部５６４は、第１把持部５４３Ａ及び第２把持部５４３Ｂの間に挟まれることにより、第１把持部５４３Ａ及び第２把持部５４３Ｂの最小間隔を定義し得る。
【００３３】
収容部材５７は、概略として、Ｙ方向及び−Ｙ方向の両端において矩形に開口する角筒状である。収容部材５７は、矩形平板状の第１側面部５７１と、第１側面部５７１のＹ軸に沿う２辺にそれぞれ設けられ、互いに対向する一対の第２側面部５７２Ａ，５７２Ｂと、第１側面部５７１に対向する第３側面部５７３とを有する。第１側面部５７１は、ロックピン２１が挿入される貫通孔である第１挿入孔５７４を有する。第３側面部５７３は、ロックピン２１が挿入される貫通孔である第２挿入孔５７５と、第２挿入孔５７５を通るようにＹ軸に沿って延伸することにより、第３側面部５７３を、互いに離間する２つの領域に分割する分割スリット５７６とを有する。
【００３４】
図３及び図５に示すように、ロックピン２１及びボタンユニット５３は、第１板２０、第２板３０及び中留カバー５１を互いに重なる状態にロックするロック機構９０を構成する。上述の通り、第１プッシュボタン５４１Ａ及び第２プッシュボタン５４１Ｂは、それぞれ第１貫通孔５１３Ａ及び第２貫通孔５１３Ｂから中留カバー５１の外側に突出する。このため、第１プッシュボタン５４１Ａ及び第２プッシュボタン５４１Ｂのそれぞれは、Ｙ軸に沿って互いに近づく方向にユーザーにより押し込まれることができる。
【００３５】
第１プッシュボタン５４１Ａ及び第２プッシュボタン５４１Ｂがユーザーに押されることにより、第１把持部５４３Ａ及び第２把持部５４３Ｂが互いに離れるように、第１ボタン部材５４Ａ及び第２ボタン部材５４Ｂが変位する。この状態で、第１板２０、第２板３０及び中留カバー５１を互いに重なるように折り畳むことにより、傘部２１２は第１把持部５４３Ａ及び第２把持部５４３Ｂの間を通過する。そして、第１プッシュボタン５４１Ａ及び第２プッシュボタン５４１Ｂのそれぞれがユーザーの手から離れると、第１把持部５４３Ａ及び第２把持部５４３Ｂは、第１コイルばね５５Ａ及び第２コイルばね５５Ｂにより茎部２１１を把持する。傘部２１２の底面は第１把持部５４３Ａ及び第２把持部５４３Ｂに掛かるため、第１板２０、第２板３０及び中留カバー５１は、互いに重なる状態でロックされる。
【００３６】
このように、バンド８０がユーザーの手首に巻かれ、第１板２０、第２板３０及び中留カバー５１が互いに重なる状態で、中留１が閉じられてロック機構９０が第１板２０、第２板３０及び中留カバー５１をロックすることにより、時計１００がユーザーの手首に装着される。
【００３７】
なお、第１板２０、第２板３０及び中留プッシュ部５０が互いに重なる方向に折り畳まれた状態で、表面部５１１がユーザーに押されることにより、傘部２１２がボタンユニット５３に挿入されてもよい。この場合、傘部２１２は、ボタンユニット５３の第１挿入孔５７４に挿入され、先端側表面において第１把持部５４３Ａ及び第２把持部５４３Ｂの間を押し開きながら通過する。
【００３８】
一方、第１プッシュボタン５４１Ａ及び第２プッシュボタン５４１Ｂがユーザーに押された状態で、折り畳まれた第１板２０及び第２板３０が開かれると、傘部２１２が第１把持部５４３Ａ及び第２把持部５４３Ｂの間を通過し、ロックピン２１がボタンユニット５３から引き抜かれる。このように、第１プッシュボタン５４１Ａ及び第２プッシュボタン５４１Ｂは、ユーザーに押されることにより、ロック機構９０のロックを解除する。これにより中留１が開かれ、時計１００をユーザーの手首から取り外すことが可能となる。
【００３９】
図６及び図７に示すように、スライド部材５２は、一端に設けられた第２連結部１６において第２バンド１２に連結される。スライド部材５２は、中留カバー５１に対して、表面部５１１の長手方向に沿って両方向にスライドすることにより、中留１における第１バンド１１及び第２バンド１２の間の距離を調整する。即ちスライド部材５２は、中留カバー５１に対して、概ね、図３に示すＸ軸に沿ってスライドする。詳細には、スライド部材５２は、表面部５１１に沿って湾曲する軌道上をスライドする。
【００４０】
図８に示すように、スライド部材５２は、概略として矩形板状の板部５２１と、板部５２１の長手方向における一端、即ちＸ方向の端に繋がる連結ブロック５２９とを有する。連結ブロック５２９は、Ｙ軸における両端において、それぞれＹ軸に直交して互いに対向する一対の連結壁５２３Ａ，５２３Ｂを有する。連結ブロック５２９の幅、即ちＹ軸に沿う寸法は、板部５２１の幅より小さい。板部５２１は、スライドする間に表面部５１１に沿うように湾曲する。図８に示すように、連結ブロック５２９は、連結壁５２３Ａ，５２３Ｂが定義されるように屈曲した金属板から構成され得る。
【００４１】
スライド部材５２は、例えば、Ｙ軸に直交する平面に関して鏡像対称性を有する。即ち、連結壁５２３Ａ，５２３Ｂは、互いに鏡像対称性を有する。連結壁５２３Ａ，５２３Ｂは、一対の連結孔５２４Ａ，５２４Ｂをそれぞれ有する。第２連結部１６は、連結孔５２４Ａ，５２４Ｂと、第２バンド１２のピン孔とに第２連結ピン１６１（図３参照）が挿入されることによって構成される。このとき連結壁５２３Ａ，５２３Ｂのそれぞれ外側の主面は、第２バンド１２の端部１２１に形成された互いに向き合う一対の表面に挟み込まれる。このようにスライド部材５２は、第２バンド１２の幅方向、即ちＹ方向及び−Ｙ方向における両側から第２バンド１２の端部１２１に挟み込まれ、第２連結ピン１６１が挿入されることにより、第２バンド１２に連結される。
【００４２】
板部５２１は、Ｘ軸に沿って周期的に配列された複数のスリット５２２と、それぞれＸ軸に沿う両端側に設けられた一対の第１突出部５２５Ａ，５２５Ｂ及び一対の第２突出部５２６Ａ，５２６Ｂとを有する。複数のスリット５２２のそれぞれの長手方向はＹ軸に沿う。複数のスリット５２２は、スライド部材５２がスライドする際に中留カバー５１に対する位置を決めるグリッドとして機能する。一対の第１突出部５２５Ａ，５２５Ｂは、板部５２１の−Ｘ方向の端部において、Ｙ軸に沿って互いに反対方向に突出する。一対の第２突出部５２６Ａ，５２６Ｂは、板部５２１のＸ方向の端部において、Ｙ軸に沿って互いに反対方向に突出する。
【００４３】
図３に示すように、規制機構６０は、軸部材６１と、支持部材６２と、ばね６３と、スライド部材５２のスライドを規制する規制部材６４とを備える。規制機構６０は、例えばスライド部材５２と共にラチェット機構を構成する。規制部材６４は、スライド部材５２のスリット５２２に掛かることによりスライド部材５２の一方向、即ちＸ方向へのスライドを規制する規制部６４１と、操作されることにより規制部６４１による規制を解除する操作部６４２と、軸部材６１が挿入される軸孔６４３とを有する。軸部材６１は、概略として円柱状であり、軸受孔５１５Ａ，５１５Ｂに対応する突起を有する。軸部材６１は、軸孔６４３に挿入された状態で、両端の突起により中留カバー５１の軸受孔５１５Ａ，５１５Ｂに嵌め込まれる。これにより、軸部材６１は、規制部材６４の回転軸として機能する。軸部材６１により定義される回転軸は、中留カバー５１の幅方向、即ち第１バンド１１及び第２バンド１２の幅方向に沿うように、中留カバー５１に固定される。
【００４４】
図９に示すように、支持部材６２は、Ｙ軸に沿って延伸する帯状の梁部６２１と、梁部６２１の幅方向、即ちＸ軸に沿う２辺から、梁部６２１に対してそれぞれ垂直に設けられた一対の支持壁６２２Ａ，６２２Ｂとを有する。支持部材６２は、Ｙ軸に直交する平面に関して鏡像対称性を有する。即ち、支持壁６２２Ａ，６２２Ｂは、互いに鏡像対称性を有する。支持壁６２２Ａ，６２２Ｂは、−Ｘ方向を向く一対の第１端面６２３Ａ，６２３Ｂと、Ｘ方向を向く一対の第２端面６２４Ａ，６２４Ｂと、一対の支持孔６２５Ａ，６２５Ｂとを有する。図３及び図９に示すように、軸部材６１は、規制部材６４の軸孔６４３と、トーションスプリングであるばね６３の内側と、支持部材６２の支持孔６２５Ａ，６２５Ｂとに挿入された状態で、軸受孔５１５Ａ，５１５Ｂに嵌め込まれる。
【００４５】
図１０に示すように、規制部６４１は、スライド部材５２のスリット５２２に掛かるフックである。規制部６４１及び操作部６４２は、軸部材６１に対して互いに反対側に位置するように一体に形成される。規制部６４１は、軸部材６１に対して−Ｘ方向に配置される。操作部６４２は、軸部材６１に対してＸ方向に位置する。ばね６３は、規制部６４１がスライド部材５２に掛かるように、規制部６４１に力を加える。即ち、規制部材６４は、Ｙ方向に見て、軸部材６１の周りに時計回りに回転するように、ばね６３から力を加えられている。規制部６４１は、中留カバー５１に対して固定された回転軸の周りに回転することによりスライド部材５２に掛かる。
【００４６】
図１１に示すように、ロック機構９０のロックが解除されて中留１が開いた状態、即ち、折り畳まれていた中留カバー５１及び第２板３０が開かれてユーザーの手首から時計１００が外された状態では、操作部６４２は、中留カバー５１の内側においてユーザーに露出される。ユーザーによって図１１におけるＺ方向に操作部６４２が押されることにより、規制部材６４が軸部材６１の周りに所定角度回転し、規制部６４１がスリット５２２から外れる。即ち、操作部６４２は、ユーザーに操作されることにより規制部６４１による規制を解除する。これにより、ユーザーは、特別な工具を使用することなく容易にバンド８０の長さを調整することが可能となる。
【００４７】
よって、スライド部材５２は、操作部６４２がユーザーにより操作されている間、Ｘ方向及び−Ｘ方向にスライド可能な状態となる。この状態で、第２バンド１２又は中留カバー５１がＸ方向及び−Ｘ方向に移動されることで、スライド部材５２は、中留カバー５１に対してＸ方向または−Ｘ方向に相対的に移動する。そして、操作部６４２がユーザーの手から離れると、即ち、操作部６４２が操作されなくなると、規制部材６４は、ばね６３により軸部材６１の周りに所定角度回転し、規制部６４１が直前まで掛かっていたスリット５２２とは別のスリット５２２に掛かる。このように、中留１が開いた状態で露出される操作部６４２を操作することにより、バンド８０の長さが微調整される。
【００４８】
第１実施形態において規制機構６０は、ラチェット機構を有するため、スライド部材５２は、操作部６４２がユーザーにより操作されていない間であっても、一方向の反対方向、即ち−Ｘ方向にスライド可能である。即ち、スライド部材５２は、ロック機構９０がロックした状態、即ち操作部６４２がユーザーに露出されていない状態であっても、−Ｘ方向にスライドすることができる。スライド部材５２が−Ｘ方向に変位するとき、規制部６４１は、図７に示すように、板部５２１に対して傾斜する面においてスリット５２２に接する。このため、スライド部材５２が−Ｘ方向に移動すると規制部材６４が軸部材６１の周りに回転し、規制部６４１は、直前まで掛かっていたスリット５２２にＸ方向に隣り合うスリット５２２に掛かる。このように、規制機構６０は、操作部６４２がユーザーに操作されなくても、例えば第２バンド１２が中留１に対して押し込まれることにより、スライド部材５２を−Ｘ方向にスライドさせてバンド８０の長さを短く微調整できるように構成されている。
【００４９】
ここで、図１２に示すように、スライド部材５２がＸ方向にスライドする場合であっても、スライド部材５２は、中留カバー５１に対してスライドする範囲が定義されているため、中留１から抜け落ちることがない。詳細には、図１０に示すように、一対の第１突出部５２５Ａ，５２５Ｂ及び一対の第２突出部５２６Ａ，５２６Ｂのそれぞれは、スライド部材５２のスライドする範囲を定義するストッパーとして機能する。即ち、スライド部材５２は、Ｘ方向にスライドするとき、一対の第１突出部５２５Ａ，５２５Ｂが一対の第１端面６２３Ａ，６２３Ｂに衝突することにより停止される。一方、スライド部材５２は、−Ｘ方向にスライドするとき、一対の第２突出部５２６Ａ，５２６Ｂが一対の第２端面６２４Ａ，６２４Ｂに衝突することにより停止される。
【００５０】
一対の支持壁６２２Ａ，６２２Ｂの上端面、即ちＺ方向の端面は、表面部５１１の内側表面に対応する。また、規制部材６４のうち、規制部６４１の根元部分の上側表面は、スライド部材５２の下面、即ち−Ｚ方向の主面に対応する。これにより、支持壁６２２Ａ，６２２Ｂの上端部と、規制部材６４の上側表面の一部は、スライド部材５２がスライドする方向を定義するガイドとしての役割を果たす。
【００５１】
以上説明したように、第１実施形態に係る中留１によれば、ロック機構９０のロックを解除するためには、中留カバー５１の第１貫通孔５１３Ａ及び第２貫通孔５１３Ｂからそれぞれ露出される第１プッシュボタン５４１Ａ及び第２プッシュボタン５４１Ｂが押される。一方、バンド８０の長さを微調整するためには、ロック機構９０のロックが解除されて第２板３０及び中留カバー５１が開いた状態で露出する操作部６４２が操作される。このため、ロック機構９０のロックを解除する際に誤ってバンド８０の長さが変わってしまう誤動作の可能性を低減することができる。また、操作部６４２は、ロック機構９０がロックする状態において中留カバー５１に覆われるため、ロック機構９０のロックを解除する際に誤って、バンド８０の長さ調整のための操作部６４２を操作してしまうという誤操作の可能性を低減することができる。
【００５２】
（第１変形例）
上述の第１実施形態において、複数のスリット５２２を有するスライド部材５２を例示的に説明したが、スライド部材５２は、グリッドとして機能する他の機械的構造を有してもよい。図１３に示すように、第１実施形態の第１変形例において、スライド部材５２ａは、複数のスリット５２２の代わりに、複数のリブ５２７を有する点でスライド部材５２と異なる。複数のリブ５２７は、Ｘ軸に沿って周期的に配列される。複数のリブ５２７のそれぞれの長手方向はＹ軸に沿う。複数のリブ５２７は、スライド部材５２ａがスライドする際に中留カバー５１に対する位置を決めるグリッドとして機能する。
【００５３】
図示を省略するが、中留１がスライド部材５２の代わりにスライド部材５２ａを備える場合、操作部６４２が操作されない限り、規制部６４１は、リブ５２７に掛かることにより、スライド部材５２ａのＸ方向へのスライドを規制する。スライド部材５２と同様に、スライド部材５２ａは、規制機構６０と共にラチェット機構を構成するため、操作部６４２がユーザーにより操作されていない間であっても−Ｘ方向にスライド可能である。更に、スライド部材５２ａは、一対の第１突出部５２５Ａ，５２５Ｂ及び一対の第２突出部５２６Ａ，５２６Ｂによって、中留カバー５１に対してスライドする範囲が定義されているため、中留１から抜け落ちることがない。
【００５４】
（第２変形例）
また、例えば図１４に示すように、スライド部材５２、支持部材６２、ばね６３、規制部材６４は、中留カバー５１より広い幅を有する中留カバー５１ａに対して、そのまま流用可能である。第１実施形態の第２変形例において、規制機構６０ａは、中留カバー５１ａの幅に対応する長さを有する軸部材６１ａと、支持部材６２と、ばね６３と、規制部材６４と、一対のスペーサー６５Ａ，６５Ｂとを備える。スペーサー６５Ａ，６５Ｂのそれぞれは、例えば柱状である。スペーサー６５Ａ，６５Ｂのそれぞれは、両底面を垂直に貫通し、軸部材６１ａの径に対応する孔を有する。
【００５５】
軸部材６１ａは、規制部材６４の軸孔６４３（図３参照）と、ばね６３の内側と、支持部材６２の支持孔６２５Ａ，６２５Ｂ（図９参照）とに挿入された状態で、更に両端からスペーサー６５Ａ，６５Ｂの孔に挿入された後に軸受孔５１５Ａ，５１５Ｂに嵌め込まれる。スペーサー６５Ａ，６５Ｂにより、支持部材６２、ばね６３及び規制部材６４のそれぞれのＹ軸における位置が決定される。上述の第１実施形態と同様に、スライド部材５２は、支持部材６２及び規制部材６４によりスライドする軌道を定義される。即ち、スライド部材５２、支持部材６２、ばね６３及び規制部材６４は、中留カバー５１ａの幅方向における位置が変化しない。
【００５６】
図１４に示すように、スライド部材５２は、第２連結部１６ａにおいて第２バンド１２より広い幅を有する第２バンド１２ａに連結される。具体的には、スライド部材５２は、一対の連結壁５２３Ａ，５２３Ｂのそれぞれ外側の主面が、第２バンド１２ａの端部１２１ａに形成され、幅方向において互いに向き合う一対の表面に挟み込まれることにより、第２バンド１２ａの端部１２１ａに連結される。このように、スライド部材５２は、第２バンド１２ａの幅方向における両側から第２バンド１２ａの端部１２１ａに挟み込まれ、第２連結ピン１６１が挿入されることにより、第２バンド１２ａに連結される。
【００５７】
このように、スライド部材５２、支持部材６２、ばね６３及び規制部材６４は、バンド８０より広い幅のデザインのバンドに適用される中留であっても、サイズを変更されることなく、そのまま流用可能である。これにより、複数種類のバンドの中留の設計コスト及び製造コストを低減することができる。
【００５８】
［第２実施形態］
図１５に示すように、第２実施形態に係る中留１ｂは、中留プッシュ部５０ｂがスライド部材７７及び規制機構７０を備える点等において、第１実施形態に係る中留１と異なる。第２実施形態において説明しない他の構成、作用及び効果は、第１実施形態と実質的に同様であるため重複する説明を省略する。
【００５９】
中留プッシュ部５０ｂは、スライド部材７７及び規制機構７０に加えて、ボタンユニット５３と、中留カバー５１ｂとを備える。中留カバー５１ｂは、第２ヒンジ１５を介して第２板３０に連結される。中留カバー５１ｂは、互いに重なる状態の第１板２０及び第２板３０を覆う。中留カバー５１ｂの表面部５１１ｂは、内側において幅方向に延伸する溝５１１０を有する。図１５において図示を省略するが、中留カバー５１ｂは、図３に示す中留カバー５１と同様に、第１側壁部５１２Ａ及び第２側壁部５１２Ｂを有する。中留カバー５１ｂは、Ｙ軸に直交する平面に関して鏡像対称性を有する。
【００６０】
図１６に示すように、スライド部材７７は、概略として矩形板状の板部７７１と、板部の長手方向における一端、即ちＸ方向の端に繋がる連結ブロック７７９とを有する。スライド部材７７は、例えば、Ｙ軸に直交する平面に関して鏡像対称性を有する。板部７７１は、下面、即ち−Ｚ方向を向く面においてＸ軸に沿って等間隔に配置された複数の歯７７２と、−Ｘ方向の端部において、Ｙ方向及び−Ｙ方向に突出することにより他所より広い幅を有する幅広部７７５とを有する。連結ブロック７７９は、それぞれＹ軸に直交する両端面である一対の連結面７７３と、一対の連結面７７３をＹ軸に沿って貫通する連結孔７７４とを有する。
【００６１】
第１実施形態における連結ブロック５２９と同様に、連結ブロック７７９は、図１５に示す第２連結部１６において第２バンド１２に連結される。連結ブロック７７９は、第２バンド１２の端部１２１に形成された互いに向き合う一対の表面に挟み込まれる。具体的には、一対の連結面７７３が、第２バンド１２の幅方向、即ちＹ方向及び−Ｙ方向の両側から端部１２１に挟み込まれた状態で、第２バンド１２のピン孔及び連結孔７７４に第２連結ピン１６１が挿入されることにより、スライド部材７７は、第２バンド１２に連結される。
【００６２】
図１５及び図１６に示すように、規制機構７０は、軸部材７１と、支持部材７２と、規制部材７４と、伝達部材７５とを備える。軸部材７１は、概略として円柱状であり、軸受孔５１５Ａ，５１５Ｂ（図３参照）に対応する突起を有する。伝達部材７５は、例えば、Ｙ軸に沿う長手方向を有する車軸７５１と、車軸７５１の周りに回転するピニオン７５２とを有する。車軸７５１及びピニオン７５２は、一体であっても別個の部材であってもよい。
【００６３】
支持部材７２は、Ｙ軸に沿って延伸する帯状の梁部７２１と、梁部７２１の幅方向、即ちＺ軸に沿う２辺から、梁部７２１に対してそれぞれ垂直であり互いに対向する一対の支持壁７２２Ａ，７２２Ｂとを有する。梁部７２１及び支持壁７２２Ａ，７２２Ｂは、概略としてＵ字型をなすように配置される。梁部７２１は、内側、即ちＸ方向に開口するノッチ７２５を有する。支持部材７２は、Ｙ軸に直交する平面に関して鏡像対称性を有する。即ち、支持壁７２２Ａ，７２２Ｂは互いに鏡像対称性を有する。
【００６４】
支持壁７２２Ａ，７２２Ｂは、一対の支持孔７２３Ａ，７２３Ｂと、一対の車軸孔７２４Ａ，７２４Ｂとを有する。支持壁７２２Ａ，７２２Ｂの各上端部は、溝５１１０に嵌め込まれる。加えて、支持孔７２３Ａ，７２３Ｂに軸部材７１が挿入されることにより、支持部材７２は、中留カバー５１ｂに相対的に固定される。なお、図１６に示す例において、支持壁７２２Ａ，７２２Ｂの各上端部は内側に直角に屈曲される。例えばこの場合、溝５１１０に配置される部分の支持壁７２２Ａ，７２２Ｂの厚さは、溝５１１０の深さに一致することにより、溝５１１０及び支持部材７２は、スライド部材７７のスライドを阻害しない。
【００６５】
伝達部材７５は、車軸孔７２４Ａ，７２４Ｂに車軸７５１が挿入されることにより、支持部材７２に組み込まれる。スライド部材７７は、ラックをなす複数の歯７７２とピニオン７５２とが噛み合うことにより、ピニオン７５２の回転に連動して、Ｘ軸に沿う両方向に滑らかにスライドすることができる。複数の歯７７２は、第１実施形態と同様に、スライド部材７７がスライドする際に中留カバー５１ｂに対する位置を決めるグリッドとして機能する。更に、複数の歯７７２が配置されるピッチを細かくすることにより、バンド８０の長さを調整する際の精度を向上することができる。
【００６６】
規制部材７４は、概略として矩形平板状の基部７４０と、基部７４０に対してそれぞれ垂直であり互いに平行に対向する一対の壁部７４４Ａ，７４４Ｂとを有する。一対の壁部７４４Ａ，７４４Ｂは、基部７４０の長手方向における一端、即ちＸ方向の端部に繋がる。一対の壁部７４４Ａ，７４４Ｂは、Ｙ軸に直交する平面に関して互いに鏡像対称性を有する。一対の壁部７４４Ａ，７４４Ｂは、軸部材７１が挿入される軸孔７４３Ａ，７４３Ｂを有する。
【００６７】
軸部材７１は、壁部７４４Ａ，７４４Ｂが、支持壁７２２Ａ，７２２Ｂの内側に位置する状態で、軸孔７４３Ａ，７４３Ｂ及び支持孔７２３Ａ，７２３Ｂに挿入され、両端の突起により中留カバー５１ｂの軸受孔５１５Ａ，５１５Ｂ（図３参照）に嵌め込まれる。これにより、軸部材７１は、支持部材７２を中留カバー５１ｂに対して固定し、また、規制部材７４の回転軸として機能する。このように、規制部材７４は、中留カバー５１ｂに取り付けられる。
【００６８】
基部７４０は、スライド部材７７のＸ方向及び−Ｘ方向のスライドを規制する規制部７４１と、操作されることにより規制部７４１による規制を解除する操作部７４２と、爪部７４５と、ロックピン２１が挿入されるピン用貫通孔７４６とを有する。規制部７４１は、基部７４０において軸部材７１と操作部７４２との間に位置する。図１５に示すように、ロック機構９０がロックする状態、即ち中留１ｂが開かれている状態において、操作部７４２は、中留カバー５１ｂに覆われている。なお、ロック機構９０によるロックは、第１実施形態と同様に、第１プッシュボタン５４１Ａ及び第２プッシュボタン５４１Ｂがユーザーに押されることにより設定又は解除される。
【００６９】
図１７に示すように、中留１ｂが開かれている間、操作部７４２は、中留カバー５１ｂの内側においてユーザーに露出される。操作部７４２が、爪部７４５が支持部材７２のノッチ７２５に掛かるようにユーザーに押し込まれることにより、規制部７４１は、スライド部材７７のスライドを規制する。詳細には、規制部７４１は、ピニオン７５２に掛かりピニオン７５２の回転を規制することにより、伝達部材７５を介して間接的にスライド部材７７の両方向へのスライドを規制する。言い換えると、操作部７４２は、ユーザーに操作されることにより、規制部７４１によるスライドの規制を設定し得る。爪部７４５は、ノッチ７２５に掛かる間、規制部７４１がスライド部材７７のスライドを規制する状態を維持する。
【００７０】
図１８及び図１９示すように、操作部７４２は、爪部７４５がノッチ７２５から外れるようにユーザーに引き出されることにより、規制部７４１によるスライド部材７７のスライドの規制を解除する。即ち、規制部材７４は、軸部材７１の周りに図１８における反時計回りに回転される。規制部７４１は、ピニオン７５２から外れてピニオン７５２の回転の規制を解除することにより、伝達部材７５を介して間接的にスライド部材７７のスライドの規制を解除する。即ち、操作部７４２は、ユーザーに操作されることにより、規制部７４１によるスライドの規制を解除し得る。
【００７１】
これにより、スライド部材７７は、Ｘ方向及び−Ｘ方向にスライド可能な状態となる。この状態で、スライド部材７７が、中留カバー５１ｂに対してＸ方向又は−Ｘ方向に相対的に移動され、爪部７４５がノッチ７２５に掛かるように操作部７４２がユーザーに押し込まれる。規制部７４１は、ピニオン７５２に掛かることによりスライド部材７７のスライドを間接的に規制する。このように、中留１ｂが開いた状態で露出される操作部７４２が操作されることにより、バンド８０の長さが微調整される。
【００７２】
なお、図２０に示すように、規制部材７４の一対の壁部７４４Ａ，７４４Ｂの間隔、即ち、それぞれ内側を向く主面間の距離は、スライド部材７７の板部７７１の幅に対応する。これにより、一対の壁部７４４Ａ，７４４Ｂは、スライド部材７７がスライドする方向を定義するガイドとしての役割を果たす。また、幅広部７７５及び連結ブロック７７９は、スライド部材７７のスライドする範囲を定義するストッパーとしての役割を果たす。即ち、スライド部材７７は、Ｘ方向にスライドするとき、幅広部７７５が一対の壁部７４４Ａ，７４４Ｂの端面に衝突することにより停止される。一方、スライド部材７７は、−Ｘ方向にスライドするとき、連結ブロック７７９が一対の壁部７４４Ａ，７４４Ｂの端面に衝突することにより停止される。
【００７３】
図２１に示すように、爪部７４５がノッチ７２５に掛かるときを基準とする規制部材７４の回転角が所定の閾値以上の場合において、スライド部材７７は、中留カバー５１ｂから抜き取り可能な状態となる。よって、第１バンド１１及び第２バンド１２の間の連結が解消されることにより、外装ケース１０の裏側を容易に開放することができるので、メンテナンス性が向上される。
【００７４】
図２２に示すように、基準位置Ｐ１に規制部材７４があるとき、爪部７４５はノッチ７２５に掛かり、規制部７４１が伝達部材７５を介して間接的にスライド部材７７のスライドを規制する。操作部７４２がユーザーに操作されることにより、規制部材７４が基準位置Ｐ１から変位されると、爪部７４５はノッチ７２５から外れる。引き続き、規制部材７４が軸部材７１の周りに所定の第１位置Ｐ２まで回転すると、規制部７４１がピニオン７５２から離れて、規制部７４１によるスライド部材７７のスライドの規制が解除される。但し、スライド部材７７がＸ方向にスライドする範囲は、一対の壁部７４４Ａ，７４４Ｂ及び幅広部７７５によって制限されている。
【００７５】
更に、操作部７４２がユーザーに操作されて規制部材７４が所定の第２位置Ｐ３まで回転するとき、スライド部材７７は、支持部材７２から抜き取り可能な状態となる。このように、規制部材７４は、基準位置Ｐ１からの回転角が所定の範囲内である場合において、スライド部材７７がＸ方向にスライドしても、幅広部７７５が壁部７４４Ａ，７４４Ｂに衝突しないようなトポロジーを有する。
【００７６】
即ち、図２２に示すように、規制部材７４が基準位置Ｐ１にある場合おいて、軸部材７１により定義される回転軸から、スライド部材７７に最短距離で向かう方向、即ち概ねＺ方向に沿って測定される壁部７４４Ａ，７４４Ｂの寸法をＡとする。同様に、規制部材７４が第２位置Ｐ３にある場合において、回転軸から、概ねＺ方向に沿って測定される壁部７４４Ａ，７４４Ｂの寸法をＢとする。幅広部７７５の厚さをＴとすると、壁部７４４Ａ，７４４Ｂは、Ａ−Ｂ＞Ｔの関係が成り立つように設計される。
【００７７】
［他の実施形態］
以上のように第１及び第２実施形態を説明したが、本発明はこれらの開示に限定されるものではない。各部の構成は、同様の機能を有する任意の構成に置換されてよく、また、本発明の技術的範囲内において、各実施形態における任意の構成が省略されたり追加されたりしてもよい。このように、これらの開示から当業者には様々な代替の実施形態が明らかになる。
【００７８】
例えば、第１実施形態において、規制部６４１が掛かる複数のスリット５２２又は複数のリブ５２７が配置されるピッチを細かくすることにより、バンド８０の長さを調整する際の精度を向上することができる点は、第２実施形態と同様である。
【００７９】
その他、上述の各構成を相互に応用した構成等、本発明は以上に記載しない様々な実施形態を含むことは勿論である。本発明の技術的範囲は、上記の説明から妥当な特許請求の範囲に係る発明特定事項によってのみ定められるものである。
【００８０】
以下に、上述した実施形態から導き出される内容を記載する。
【００８１】
中留は、第１バンドに連結される第１板と、第１ヒンジを介して前記第１板に連結される第２板と、第２ヒンジを介して前記第２板に連結され、互いに重なる状態の前記第１板及び前記第２板を覆い、貫通孔を有する中留カバーと、前記第１板、前記第２板及び前記中留カバーを互いに重なる状態にロックするロック機構と、押されることにより前記ロック機構のロックを解除し、前記貫通孔から露出されるプッシュボタンと、第２バンドに連結され、前記中留カバーに対して一方向にスライドするスライド部材と、前記スライド部材の前記一方向へのスライドを規制する規制部と、操作されることにより前記規制部による規制を解除し、前記中留カバーに取り付けられ、前記ロック機構がロックする状態において前記中留カバーに覆われる操作部と、を備える。
【００８２】
この構成によれば、ロック機構のロックを解除するプッシュボタンが露出される一方、スライド部材をスライドさせるための操作部は、ロック機構がロックする状態において中留カバーに覆われる。このため、ロック機構のロックを解除する際に誤ってバンドの長さが変わってしまう等の誤動作の可能性を低減することができる。また、ロック機構のロックを解除する際に誤って、操作部を操作してしまう等の誤操作の可能性を低減することができる。
【００８３】
上記の中留において、前記スライド部材は、前記第２バンドの幅方向における両側から前記第２バンドの端部に挟み込まれることにより、前記第２バンドの端部に連結されてもよい。この構成によれば、幅の広いバンドや中留に対して部品の流用が可能となるため、複数種類のバンドの中留の設計コスト及び製造コストを低減することができる。
【００８４】
上記の中留において、前記規制部は、前記中留カバーに固定された回転軸の周りに回転し、前記スライド部材に掛かるフックであってもよい。この構成によれば、一方向へのスライドを規制する規制部を実現可能である。
【００８５】
上記の中留は、前記フックが前記スライド部材に掛かるように前記フックに力を加えるばねを更に備えてもよい。この構成によれば、操作部を操作した後に自動的にスライド部材のスライドを規制する規制部を実現可能である。
【００８６】
上記の中留において、前記回転軸は、前記第１バンド及び前記第２バンドの幅方向に沿うように、前記中留カバーに固定されてもよい。この構成によれば、第１バンド及び第２バンドの延伸方向に沿う一方向へのスライドを規制する規制部を実現可能である。
【００８７】
上記の中留において、前記スライド部材は、前記ロック機構がロックする状態において前記一方向の反対方向にスライドしてもよい。この構成によれば、中留カバーに覆われたままの操作部を操作することなくバンドの長さを調節することが可能となる。
【００８８】
上記の中留において、前記ロック機構は、前記第１板に設けられたロックピンと、前記中留カバーに設けられ、前記ロックピンを把持する把持部と、を有してもよい。この構成によれば、プッシュボタンによりロックを解除可能なロック機構を低コストで実現可能である。
【００８９】
上記の中留において、前記中留カバーは、前記第１バンド及び前記第２バンドの幅方向に直交する平面に沿う側壁を有し、前記側壁は、前記貫通孔を有してもよい。この構成によれば、ロック機構を解除するプッシュボタンを低コストで実現可能である。
【００９０】
バンドは、上記の中留を備える。この構成によれば、ロック機構のロックを解除する際に誤ってバンドの長さが変わってしまう等の誤動作の可能性を低減することができる。また、ロック機構のロックを解除する際に誤って、操作部を操作してしまう等の誤操作の可能性を低減することができる。
【００９１】
時計は、上記のバンドを備える。この構成によれば、ロック機構のロックを解除する際に誤ってバンドの長さが変わってしまう等の誤動作の可能性を低減することができる。また、ロック機構のロックを解除する際に誤って、操作部を操作してしまう等の誤操作の可能性を低減することができる。
【符号の説明】
【００９２】
１，１ｂ…中留、９…バンド駒、１０…外装ケース、１１…第１バンド、１２，１２ａ…第２バンド、１３…第１連結部、１４…第１ヒンジ、１５…第２ヒンジ、１６，１６ａ…第２連結部、２０…第１板、２１…ロックピン、３０…第２板、３１…ロックピン孔、４０…中折れ部材、５０，５０ｂ…中留プッシュ部、５１，５１ａ，５１ｂ…中留カバー、５２，５２ａ…スライド部材、５３…ボタンユニット、５４Ａ…第１ボタン部材、５４Ｂ…第２ボタン部材、５５Ａ…第１コイルばね、５５Ｂ…第２コイルばね、５６…ボタン保持部材、５７…収容部材、６０，６０ａ…規制機構、６１，６１ａ…軸部材、６２…支持部材、６４…規制部材、６５Ａ，６５Ｂ…スペーサー、７０…規制機構、７１…軸部材、７２…支持部材、７４…規制部材、７５…伝達部材、７７…スライド部材、８０，８０ｂ…バンド、９０…ロック機構、１００…時計、１０１…第１カン、１０２…第２カン、１２１，１２１ａ…端部、１３１…第１連結ピン、１４１…第１ヒンジピン、１５１…第２ヒンジピン、１６１，１６１ａ…第２連結ピン、２１１…茎部、２１２…傘部、５１１，５１１ｂ…表面部、５１２Ａ…第１側壁部、５１２Ｂ…第２側壁部、５１３Ａ…第１貫通孔、５１３Ｂ…第２貫通孔、５１４Ａ，５１４Ｂ…ピン孔、５１５Ａ，５１５Ｂ…軸受孔、５２１…板部、５２２…スリット、５２３Ａ，５２３Ｂ…連結壁、５２４Ａ，５２４Ｂ…連結孔、５２５Ａ，５２５Ｂ…第１突出部、５２６Ａ，５２６Ｂ…第２突出部、５２９…連結ブロック、５４１Ａ…第１プッシュボタン、５４１Ｂ…第２プッシュボタン、５４２Ａ…第１中間部、５４２Ｂ…第２中間部、５４３Ａ…第１把持部、５４３Ｂ…第２把持部、５４４Ａ，５４４Ｂ，５４５Ａ，５４５Ｂ…凹部、５６１…上面部、５６２Ａ，５６２Ｂ…側面部、５６３…挿入孔、５６４…スペーサー部、５７１…第１側面部、５７２Ａ，５７２Ｂ…第２側面部、５７３…第３側面部、５７４…第１挿入孔、５７５…第２挿入孔、５７６…分割スリット、６２１…梁部、６２２Ａ，６２２Ｂ…支持壁、６２３Ａ，６２３Ｂ…第１端面、６２４Ａ，６２４Ｂ…第２端面、６２５Ａ，６２５Ｂ…支持孔、６３…ばね、６４１…規制部、６４２…操作部、６４３…軸孔、７２１…梁部、７２２Ａ，７２２Ｂ…支持壁、７２３Ａ，７２３Ｂ…支持孔、７２４Ａ，７２４Ｂ…車軸孔、７２５…ノッチ、７４０…基部、７４１…規制部、７４２…操作部、７４３Ａ，７４３Ｂ…軸孔、７４４Ａ，７４４Ｂ…壁部、７４５…爪部、７４６…ピン用貫通孔、７５１…車軸、７５２…ピニオン、７７１…板部、７７２…歯、７７３…連結面、７７４…連結孔、７７５…幅広部、７７９…連結ブロック、５１１０…溝、Ｐ１…基準位置、Ｐ２…第１位置、Ｐ３…第２位置。
【図１】
2020099573.tif 000003
【図２】
2020099573.tif 000004
【図３】
2020099573.tif 000005
【図４】
2020099573.tif 000006
【図５】
2020099573.tif 000007
【図６】
2020099573.tif 000008
【図７】
2020099573.tif 000009
【図８】
2020099573.tif 000010
【図９】
2020099573.tif 000011
【図１０】
2020099573.tif 000012
【図１１】
2020099573.tif 000013
【図１２】
2020099573.tif 000014
【図１３】
2020099573.tif 000015
【図１４】
2020099573.tif 000016
【図１５】
2020099573.tif 000017
【図１６】
2020099573.tif 000018
【図１７】
2020099573.tif 000019
【図１８】
2020099573.tif 000020
【図１９】
2020099573.tif 000021
【図２０】
2020099573.tif 000022
【図２１】
2020099573.tif 000023
【図２２】
2020099573.tif 000024